(57)【要約】【課題】容器本体を閉塞し易く、容易に内部の家庭用薄葉紙を詰め替えることのできる家庭用薄葉紙収納容器を提供可能とすること。【解決手段】内部に家庭用薄葉紙Ｐが収納される収納空間Ｓを有する容器本体１０を備えた家庭用薄葉紙収納容器１であって、容器本体１０は、容器本体上部１１と、容器本体下部１２と、容器本体上部１１の後面と、容器本体下部１２の後面とを接続する接続部１３と、を備え、接続部１３を支点に容器本体上部１１を回動させることで、容器本体下部１２の収納空間Ｓを閉塞又は露出させ、容器本体下部１２は、上端部に外周壁部１２１１と、内周壁部１２１２と、からなる凹溝部１２１を備え、容器本体上部１１の内縁部１１８が係合可能とする。【選択図】図７
2020196517.tif 000002
【特許請求の範囲】
【請求項１】
内部に家庭用薄葉紙が収納される収納空間を有する容器本体を備えた家庭用薄葉紙収納容器であって、
前記容器本体は、
前記容器本体の上部を形成する容器本体上部と、前記容器本体の下部を形成する容器本体下部と、
前記容器本体上部の後面と、前記容器本体下部の後面とを接続する接続部と、を備え、
前記接続部を支点に前記容器本体上部を回動させることで、前記容器本体下部の前記収納空間を閉塞又は露出させ、
前記容器本体上部の下端部に、環状の外縁部と、前記外縁部よりも内側に設けられ、前記外縁部よりも下方に突出した環状の内縁部と、を備え、
前記容器本体下部の上端部に、前記容器本体上部の前記内縁部が係合する環状の凹溝部を備え、
前記凹溝部は、外周壁面を構成し、上端が前記外縁部と当接する外周壁部と、内周壁面を構成する内周壁部と、を備え、
前記容器本体下部の後面の前記内周壁部は、前記外周壁部の高さよりも高いガイド部を備えることを特徴とする家庭用薄葉紙収納容器。
【請求項２】
前記ガイド部は、左右方向に複数設けられていることを特徴とする請求項１に記載の家庭用薄葉紙収納容器。
【請求項３】
前記ガイド部は、左右方向の両端部に設けられた第１ガイド部と、前記第１ガイド部よりも左右方向内側に設けられた第２ガイド部と、を備え、
前記第１ガイド部は、第２ガイド部よりも上下方向の高さが高いことを特徴とする請求項２に記載の家庭用薄葉紙収納容器。
【請求項４】
前記第１ガイド部は、前記容器本体下部の左面及び右面に延長されて設けられていることを特徴とする請求項３に記載の家庭用薄葉紙収納容器。
【請求項５】
前記容器本体上部は、前面に左右方向に沿って設けられた係止部を備え、
前記容器本体下部は、前記前面から前方向に突出した係合突起を備え、
前記閉塞時に、前記係止部と前記係合突起が係合して前記閉塞の状態を維持するよう構成されていることを特徴とする請求項１〜４のいずれか一項に記載の家庭用薄葉紙収納容器。
【請求項６】
前記容器本体上部は、底面視において前面からアーチ状に突出した取手部を備え、
前記取手部の内面に前記係止部が設けられていることを特徴とする請求項５に記載の家庭用薄葉紙収納容器。
【請求項７】
前記取手部は、前記容器本体上部を構成する他の部位と一体的に設けられていることを特徴とする請求項６に記載の家庭用薄葉紙収納容器。
【請求項８】
前記容器本体上部、前記容器本体下部、及び前記接続部は一体的に設けられていることを特徴とする請求項１〜７のいずれか一項に記載の家庭用薄葉紙収納容器。
【発明の詳細な説明】
【技術分野】
【０００１】
本発明は、家庭用薄葉紙収納容器に関する。
【背景技術】
【０００２】
ウェットティッシュ等の家庭用薄葉紙収納容器においては、内部に家庭用薄葉紙が収納され、家庭用薄葉紙を取り出す取出孔を有する容器本体と、容器本体に回動自在に接続され、取出孔を開閉自在に閉塞する開閉蓋と、を備えたものが知られている。
さらに、容器本体が、容器本体上部と容器本体下部とに分かれ、家庭用薄葉紙を詰め替える際に、容器本体上部と容器本体下部とを分離させる構造のものも知られている（例えば、特許文献１参照）。
【先行技術文献】
【特許文献】
【０００３】
【特許文献１】特許第６５１０６９６号公報
【発明の概要】
【発明が解決しようとする課題】
【０００４】
このような容器本体が容器本体上部と容器本体下部とに分かれる家庭用薄葉紙収納容器においては、より容易に家庭用薄葉紙の詰め替えができることが望まれていた。
【０００５】
本発明の目的は、より容易に内部の家庭用薄葉紙を詰め替えることができる家庭用薄葉紙収納容器を提供することである。
【課題を解決するための手段】
【０００６】
前記課題を解決するために、請求項１に記載の発明は、
内部に家庭用薄葉紙が収納される収納空間を有する容器本体を備えた家庭用薄葉紙収納容器であって、
前記容器本体は、
前記容器本体の上部を形成する容器本体上部と、前記容器本体の下部を形成する容器本体下部と、
前記容器本体上部の後面と、前記容器本体下部の後面とを接続する接続部と、を備え、
前記接続部を支点に前記容器本体上部を回動させることで、前記容器本体下部の前記収納空間を閉塞又は露出させ、
前記容器本体上部の下端部に、環状の外縁部と、前記外縁部よりも内側に設けられ、前記外縁部よりも下方に突出した環状の内縁部と、を備え、
前記容器本体下部の上端部に、前記容器本体上部の前記内縁部が係合する環状の凹溝部を備え、
前記凹溝部は、外周壁面を構成し、上端が前記外縁部と当接する外周壁部と、内周壁面を構成する内周壁部と、を備え、
前記容器本体下部の後面の前記内周壁部は、前記外周壁部の高さよりも高いガイド部を備えることを特徴とする。
【０００７】
請求項２に記載の発明は、請求項１に記載の発明において、
前記ガイド部は、左右方向に複数設けられていることを特徴とする。
【０００８】
請求項３に記載の発明は、請求項２に記載の発明において、
前記ガイド部は、左右方向の両端部に設けられた第１ガイド部と、前記第１ガイド部よりも左右方向内側に設けられた第２ガイド部と、を備え、
前記第１ガイド部は、第２ガイド部よりも上下方向の高さが高いことを特徴とする。
【０００９】
請求項４に記載の発明は、請求項３に記載の発明において、
前記第１ガイド部は、前記容器本体下部の左面及び右面に延長されて設けられていることを特徴とする。
【００１０】
請求項５に記載の発明は、請求項１〜４のいずれか一項に記載の発明において、
前記容器本体上部は、前面に左右方向に沿って設けられた係止部を備え、
前記容器本体下部は、前記前面から前方向に突出した係合突起を備え、
前記閉塞時に、前記係止部と前記係合突起が係合して前記閉塞の状態を維持するよう構成されていることを特徴とする。
【００１１】
請求項６に記載の発明は、請求項５に記載の発明において、
前記容器本体上部は、底面視において前面からアーチ状に突出した取手部を備え、
前記取手部の内面に前記係止部が設けられていることを特徴とする。
【００１２】
請求項７に記載の発明は、請求項６に記載の発明において、
前記取手部は、前記容器本体上部を構成する他の部位と一体的に設けられていることを特徴とする。
【００１３】
請求項８に記載の発明は、請求項１〜７のいずれか一項に記載の発明において、
前記容器本体上部、前記容器本体下部、及び前記接続部は一体的に設けられていることを特徴とする。
【発明の効果】
【００１４】
本発明によれば、本発明の目的は、より容易に内部の家庭用薄葉紙を詰め替えることができる家庭用薄葉紙収納容器を提供することができる。
【図面の簡単な説明】
【００１５】
【図１】実施形態に係る家庭用薄葉紙収納容器の斜視図である。なお、網掛け部分は弾性材料によって形成された部分を表す。この点は他の図においても同様である。
【図２】実施形態に係る家庭用薄葉紙収納容器において、開閉蓋が開いた状態を示す斜視図である。
【図３】実施形態に係る家庭用薄葉紙収納容器の背面斜視図である。
【図４】実施形態に係る家庭用薄葉紙収納容器において、容器本体上部が開いた状態を示す斜視図である。
【図５】実施形態に係る家庭用薄葉紙収納容器において、容器本体上部が開いた状態を示す正面図である。
【図６】実施形態に係る家庭用薄葉紙収納容器の底面図である。
【図７】図１のVII−VII線による断面図である。
【図８】図７の断面図における取手部周辺を拡大した拡大図である。
【発明を実施するための形態】
【００１６】
以下、本発明の実施形態である家庭用薄葉紙収納容器１の具体的な態様について、図１から図８に基づいて説明する。ただし、本発明の技術的範囲は、図示例に限定されるものではない。
以下においては、図に示すように、Ｘ軸、Ｙ軸及びＺ軸並びに前後方向、左右方向及び上下方向を定めて説明する。すなわち、家庭用薄葉紙収納容器の開閉蓋が備えられた側を「上」、その反対側を「下」、容器本体と開閉蓋とが接続されている側を「後」、その反対側を「前」、前側から見て右手側を「右」、左手側を「左」とし、前後方向に沿った軸をＸ軸、左右方向に沿った軸をＹ軸、上下方向の沿った軸をＺ軸とする。なお、容器本体上部が容器本体下部に対して回動した場合、容器本体上部の向く方向が変わるが、以下においては、図１に示すように、容器本体上部と容器本体下部とが組み合わさり、収納空間Ｓが閉塞された状態を基準として方向を定めて説明する。
【００１７】
［実施形態の構成］
（全体構成）
家庭用薄葉紙収納容器１は、図１から図８に示すように、内部の家庭用薄葉紙Ｐを取り出す取出孔１１３ａを備えた容器本体１０と、取出孔１１３ａを覆うように開閉自在に容器本体１０に接続された開閉蓋２と、容器本体１０に備えられ、開閉蓋２の開閉に用いられるボタン部３と、を備え、家庭用薄葉紙収納容器１の内部に家庭用薄葉紙Ｐが収納される収納空間Ｓが形成されている。
【００１８】
（家庭用薄葉紙）
家庭用薄葉紙Ｐとしては、例えば、小型のウェットシート、ウェットティッシュ等が交互に折り重ねられた状態で積層され、１枚のウェットシート、ウェットティッシュ等を引き出した際に次のウェットシート、ウェットティッシュ等も引き出されるように形成された、所謂ポップアップ式のシートが用いられる。その他には、例えば、長さ方向に一定の間隔でミシン目が施された長大なウェットシート、ウェットティッシュ等がロール状に巻かれ、ミシン目に沿って切り離して使用するロールシートを用いることもできる。
【００１９】
（容器本体）
容器本体１０は、図１から図７に示すように、例えば、全体として、Ｘ方向及びＺ方向に比してＹ方向に長い略直方体状に形成され、これがＺ方向中央部よりも上部において上下に二分され、容器本体１０の上側を構成する容器本体上部１１と、容器本体１０の下側を構成する容器本体下部１２と、で形成されている。容器本体上部１１と、容器本体下部１２とは容器本体１０の後面部において、接続部１３によって接続されている。
容器本体上部１１と、容器本体下部１２と、接続部１３とは、射出成形（２色成形）等の方法によって一体的に形成されている。
【００２０】
容器本体１０は、図１から図７に示すように、容器本体上部１１と容器本体下部１２とが組み合わさり、内部の収納空間Ｓが閉塞された状態で、全体が、Ｘ方向に好ましくは６０ｍｍから１５０ｍｍ、さらに好ましくは８０ｍｍから１００ｍｍ、Ｙ方向に好ましくは８０ｍｍから２００ｍｍ、さらに好ましくは１４５ｍｍから１６５ｍｍ、Ｚ方向に好ましくは３０ｍｍから１００ｍｍ、さらに好ましくは５０ｍｍから７０ｍｍの大きさとなるように形成されている。
また、各面の厚みは、好ましくは０．５ｍｍから３ｍｍ、さらに好ましくは１ｍｍから２ｍｍである。
この大きさ及び厚みであれば、成形効率が高く、かつ実使用に問題ない強度を達成することができる。
【００２１】
（接続部）
家庭用薄葉紙収納容器１は、図３に示すように、容器本体上部１１と容器本体下部１２とを接続する接続部１３を支点として回動するように形成されている。これによって、図４に示すように収納空間Ｓが外部に露出された状態とすることができる。
また、収納空間Ｓを閉塞する際には、使用者は、容器本体上部１１を上記とは反対に回動させればよい。
【００２２】
また、接続部１３が、図３に示すように、家庭用薄葉紙収納容器１の他の部分と比較して薄くなるように形成されていることによって、接続部１３が曲がり易くなり、容器本体上部１１を、接続部１３を支点として、容器本体下部１２に対して回動させ易くなる。
【００２３】
なお、生産性は低下するものの、容器本体上部１１と、容器本体下部１２とを別体として形成の上、これらをヒンジ等によって回動自在に接続することも可能である。
また、容器本体１０をＺ方向中央部よりも上部で容器本体上部１１と容器本体下部１２とに二分することにより、収納された家庭用薄葉紙Ｐが所定の包装体によって覆われた状態で、収納空間Ｓに収納される場合において、収納空間Ｓの閉塞時に包装体のエンドシール部等を挟み込んでしまうおそれを低減することができ、家庭用薄葉紙Ｐをさらに詰め替え易くなる。
なお、容器本体１０が容器本体上部１１と容器本体下部１２と、に二分される位置は、Ｚ方向中央部付近であってもよい。
【００２４】
（容器本体上部）
容器本体上部１１は、図２から図８に示すように、例えば、下面が略矩形状の開口部となった略直方体状に形成され、上面を形成する天面部１１１の中央部付近に、Ｚ方向下方に凹状となる凹部１１２が形成されており、凹部１１２内には、中央部に収納空間Ｓの家庭用薄葉紙Ｐを取り出すための取出孔１１３ａを有する取出部１１３が設けられている。さらに、後端部には、付勢部材１１４が収納される収納凹部１１５が形成され、前端部には、ボタン部３を取り付けるボタン取付部１１６が形成されている。
また、容器本体上部１１の下面の下端部には、環状の外縁部１１７と、外縁部１１７よりも内側に設けられ、外縁部１１７よりも下方に突出した環状の内縁部１１８と、が形成されている。
また、容器本体上部１１の前面の下端部には、収納空間Ｓを露出する際に把持する取手部１１９が形成されている。
【００２５】
（容器本体上部の材質）
容器本体上部１１は、硬質な材料である硬質材料によって形成されている。硬質材料としては、例えば、ポリエチレン、ポリプロピレン等を用いることができる。なお、硬度の測定方法は、弾性材料について述べたのと同様である。
また、後述する弾性材料によって形成された部分と、硬質材料によって形成された部分は、射出成形（２色成形）によって一体的に形成されていることが望ましい。
【００２６】
（凹部）
凹部１１２は、図２に示すように、天面部１１１の平面視における中央部付近に形成されている。図２においては、凹部１１２が、平面視において容器本体上部１１の前端部に達する曲線状の略矩形となる場合について図示しているが、凹部１１２の具体的形状はこれに限られない。
凹部１１２のＺ方向の深さは、天面部１１１から見て、５ｍｍから２０ｍｍであることが好ましい。また、平面視における大きさは、内部に取出部１１３を形成可能であれば、特に限定されないが、Ｘ方向に４０ｍｍから８０ｍｍ、Ｙ方向に４０ｍｍから１２０ｍｍであることが好ましい。
【００２７】
（取出部）
取出部１１３は、凹部１１２の平面視における中央部付近に形成された、弾性材料で形成された部分であり、取出部１１３の略中央には、略球面状に盛り上がった膨出部分１１３ｂが形成されており、その膨出部分１１３ｂに取出孔１１３ａが設けられている。
また、取出孔１１３ａの縁には、取出部１１３の中央部に向かって、その手前側の縁から突き出している３つの突片１１３ｃが設けられている。
取出部１１３は、例えば、Ｚ方向の厚みが０．５ｍｍから２ｍｍの膜状に形成されていることが望ましい。
取出部１１３を形成する弾性材料としては、例えば、シリコンゴム又はスチレン−ブタジエン系、ポリエステル系、ポリエチレン系若しくはウレタン系等の熱可塑性エラストマー等の弾性を有する材料を用いることができ、硬度が２０から９０であることが望ましい。なお、上記硬度は、ＪＩＳ  Ｋ  ６２５３（タイプＡデュロメータ）によって測定されたものである。
【００２８】
なお、弾性材料の硬度が上記値よりも低くなると、柔らか過ぎて成形が難しく、成形効率が悪くなる点から望ましくない。
また、弾性材料の硬度が上記値よりも高くなると、家庭用薄葉紙Ｐを取り出すための取出孔１１３ａが形成された取出部１１３が硬くなり、抵抗が掛かり過ぎて、シートが一枚ずつ取り出しにくくなる点、または、シートを引っ張り出す際に収納空間Ｓにまで指を入れ難くなる点から望ましくない。
【００２９】
（取出孔）
取出孔１１３ａは、取出部１１３の平面視における中央部に形成された、収納空間Ｓにつながる孔部である。
例えば、図２においては、取出孔１１３ａは、三角形の各辺が内側に円弧状に突出した形状を有し、各頂点と重心点を結ぶように３本のスリットが重心点で交わる略逆Ｙ字状になっている。また、３本のスリットのうちＸ方向に延在するスリットの幅は他のスリットの幅に比べて広くなっている。
なお、スリットの本数はこれより少数でも多数でもよく、また、例えば、十字型に２本のスリットを入れることにより形成するようにしてもよい。
取出部１１３は、取出孔１１３ａの周囲が弾性材料によって形成されていることで、家庭用薄葉紙Ｐに対して適切な抵抗を掛けることができ、収納空間Ｓに収納された家庭用薄葉紙Ｐが引き出された後に、次の家庭用薄葉紙Ｐを保持する機能を果たす。また、家庭用薄葉紙Ｐがロールシートである場合において、家庭用薄葉紙Ｐに設けられている切断用のミシン目で、これを切断することを可能とする。
【００３０】
（突片）
突片１１３ｃは、取出孔１１３ａから引き出される家庭用薄葉紙Ｐが摺接する箇所であり、取出孔１１３ａから引き出される家庭用薄葉紙Ｐに対して適切な抵抗を掛けるために設けられている。
具体的には、使用者が家庭用薄葉紙収納容器１の開閉蓋２を開放して家庭用薄葉紙Ｐを取り出す場合、家庭用薄葉紙収納容器１の後ろ側に起立された姿勢の開閉蓋２が家庭用薄葉紙Ｐを取り出す動作の妨げにならないように、使用者は家庭用薄葉紙収納容器１の前面側から手を伸ばし、家庭用薄葉紙Ｐを取出孔１１３ａから引き出すようにするので、取出孔１１３ａから引き出される家庭用薄葉紙Ｐは手前側の縁の突片１１３ｃと摺接するようになる。
このとき、取出孔１１３ａから手前側に引き出される家庭用薄葉紙Ｐに対し、手前側の縁から後方へ向かって突き出している突片１１３ｃが摺接することで、突片１１３ｃが家庭用薄葉紙Ｐに対して適切な抵抗を掛けて、家庭用薄葉紙Ｐが取出孔１１３ａから引き出され過ぎてしまわないようにすることができる。
つまり、手前側の縁から後方へ向かって突き出している突片１１３ｃは、取出孔１１３ａから手前側に引き出される家庭用薄葉紙Ｐに対して適切な摩擦力を付与し、引き出して使用する家庭用薄葉紙Ｐに続いて引き出される次の家庭用薄葉紙Ｐが取出孔１１３ａから引き出され過ぎてしまわないようにする機能を有している。
そして、使用する家庭用薄葉紙Ｐに続いて引き出された次の家庭用薄葉紙Ｐは、その一端部が適正な長さで引き出された状態で、取出孔１１３ａに保持されるようになる。
【００３１】
また、このようにして取出孔１１３ａに保持されている家庭用薄葉紙Ｐの一端部は、手前側の突片１１３ｃを含む三つの突片で支持されている。
家庭用薄葉紙Ｐの一端部を保持する取出孔１１３ａは、取出部１１３の膨出部分１１３ｂに設けられているので、各突片１１３ｃの先端側は膨出部分１１３ｂの周囲の基面である取出部１１３よりも高い位置にある。
そして、家庭用薄葉紙Ｐの一端部は、このような突片１１３ｃによって周囲よりも高い位置で支持されて取出孔１１３ａに保持されているので、その家庭用薄葉紙Ｐを摘まみ易くなっている。
【００３２】
（付勢部材）
付勢部材１１４は、図２に示すように、弾性材料で形成された帯状の部材である。付勢部材１１４の一端は凹部１１２の後方に固着され、他端は開閉蓋２の挿入部２３（後述）に固着され、開閉蓋２を起立させる開放方向へと付勢しており、使用者がボタン部３を押圧した際に、開閉蓋２を後方の容器本体上部１１との接続部分を回転軸として回転させるようにして開放させる。
【００３３】
付勢部材１１４は、幅が好ましくは２ｍｍ〜３０ｍｍ、さらに好ましくは８ｍｍ〜１０ｍｍ、厚みが好ましくは０．５ｍｍ〜３ｍｍ、さらに好ましくは１ｍｍ〜２ｍｍの帯状となるように形成されている。
付勢部材１１４がこのような大きさに形成されていることによって、開閉蓋２の解放時に無理なく押し上げることが可能であり、かつ、開閉蓋２の閉塞時において、付勢部材を収納凹部１１５内において容易に折り曲げて収納することができる。
【００３４】
付勢部材１１４を、何ら力を加えられていない状態において図２に示すように伸びた状態となるように形成することで、図７に示すように開閉蓋２が閉じられ、付勢部材１１４が折り曲げられた際に、図２に示す状態に戻ろうとする力が生じるようにする。これによって、開閉蓋２を、容器本体上部１１に対して、後方の開閉蓋２と容器本体上部１１との接続部１３を回転軸として後方へと回転するように付勢することが可能となる。
【００３５】
（収納凹部）
収納凹部１１５は、図７に示すように、開閉蓋２の閉塞時において、付勢部材１１４が下方へと押し込められた際、付勢部材１１４の折り曲げられた部分を収納するための凹部である。
収納凹部１１５は、図２に示すように、凹部１１２内の取出部１１３の後方かつ、付勢部材１１４の前方付近において、凹部１１２よりも更にＺ方向下方に凹状となるように形成される。
収納凹部１１５の形状は特に限定されないが、例えば、Ｘ方向に比してＹ方向に長い略直方体状であり、開閉蓋２を閉塞した際に、開閉蓋２によって押し込められ、折り曲げられた付勢部材１１４を収納できるだけの空間を有していればよい。
【００３６】
（ボタン取付部）
ボタン取付部１１６は、凹部１１２の前端部において、硬質材料によって形成され、Ｚ方向上方へと凸状となるように環状に形成された本体側嵌合部１１６１と、平面視において本体側嵌合部１１６１の左右部及び前方部を囲うようにＺ方向下方に凹状となるように形成されたボタン可動部１１６２と、を備える。
【００３７】
（本体側嵌合部）
本体側嵌合部１１６１は、例えば、平面視において前方側が曲線状、後方側が直線状であり、内周がボタン部３に形成されたボタン側嵌合部３２（後述）の外周より僅かに大きく形成されている。そして、上方からボタン側嵌合部３２を差し込むことで、ボタン部３をボタン取付部１１６に取り付けることができるように形成されている。
【００３８】
（ボタン可動部）
ボタン可動部１１６２は、本体側嵌合部１１６１の左右部及び前方部を囲うように下方へと凹状となるように形成されており、取出部１１３と同様の弾性材料により形成されている。これにより、本体側嵌合部１１６１に差し込んだボタン部の先端部３１ａを上方から押圧した際に、ボタン可動部１１６２が弾性変形することで、ボタン部３が下方に傾くように形成されている。
【００３９】
（外縁部・内縁部）
外縁部１１７は、図４及び図５に示すように環状であり、容器本体上部１１の下端部に形成されている。
内縁部１１８は、図４及び図５に示すように環状であり、容器本体上部１１の下端部において外縁部１１７よりも内側に設けられ、外縁部１１７よりも下方に突出し、収納空間Ｓの閉塞時には、内縁部１１８が後述する容器本体下部１２の凹溝部１２１に入り込むように形成されている。
【００４０】
（取手部）
取手部１１９は、例えば、図１から図８に記載されているように、容器本体上部１１の前面の中央部において、容器本体上部１１と一体的に、前面からアーチ状に突出して形成されており、前面との間に指を引っ掛けることができる隙間ａが形成されるようになっている。取手部１１９の前面と対向する内面には二つの係止部１１９１が設けられている。収納空間Ｓを露出する際は、取手部１１９を把持し、接続部１３を支点として容器本体上部１１を回動させる。
また、図７及び図８に記載されているように、容器本体上部１１の前面と、取手部１１９の内面とが交わる部分は、Ｒ形状とされており、丸みを帯びるように成形されている。
なお、取手部１１９の形状は、アーチ状に突出する形状でなくとも、容器本体上部１１の前面から突出し、前面との間に隙間ａを有する形状であれば、どのような形状であってもよい。
また、取手部１１９は、容器本体上部１１と容器本体下部１２が係合した状態では、容器本体下部１２に設けられた係合突起１２３（後述）と前後方向に重なるようになっている。これにより、係合突起１２３が正面から見えない構造となっている。
【００４１】
（係止部）
係止部１１９１は、図４から図８に記載されているように、取手部１１９の内面に左右方向に沿って所定の間隔で二つ設けられており、収納空間Ｓの閉塞時に係合突起１２３に係合し、閉塞状態を維持するように形成されている。
二つの係止部１１９１が設けられる間隔は、任意であるが、一般的な使用者の指幅よりも大きければなおよい。具体的には、５ｍｍから２５ｍｍの間で離されて形成され、より好ましくは、１８ｍｍから２５ｍｍの間で離されて形成されていることが好ましい。
なお、係止部１１９１の数は、二つに限らず、取手部１１９の内面の左右方向の中央部から左右に離れた位置に各々設けられていればよく、例えば、左右に夫々二つずつ（合計四つ）設けられていてもよい。
【００４２】
（容器本体下部）
容器本体下部１２は、図４に示すように、上面が略矩形状の開口部となった略直方体状に形成されており、上端部には、環状の凹溝部１２１が形成されている。
また、容器本体下部１２の上面の底部には、収納空間Ｓに収納した家庭用薄葉紙Ｐを取出孔１１３ａから取り出す際の滑り止めとなる滑り止め部１２２が形成されている。
また、容器本体下部１２の前面の上端部中央部付近には、容器本体下部１２と一体的に、前方向に突出する係合突起１２３が形成されている。
【００４３】
（容器本体下部の材質）
容器本体下部１２は容器本体上部１１において用いられるのと同様の硬質材料によって形成されている。
【００４４】
（凹溝部）
凹溝部１２１は、図４に示すように環状であり、収納空間Ｓを閉塞する際に、容器本体上部１１の内縁部１１８が係合するように、容器本体下部１２の上端部に形成されており、外周壁部１２１１と、内周壁部１２１２と、を備える。
【００４５】
（外周壁部・内周壁部）
外周壁部１２１１は、容器本体下部１２の外周壁面として形成され、収納空間Ｓを閉塞する際は、容器本体上部１１の外縁部１１７に当接する。
内周壁部１２１２は、容器本体下部１２の内周壁面として形成され、外周壁部１２１１よりも上方に突出し、図４に示すように、後面の左右方向の両端部に設けられた第１ガイド部１２１２ａと、後面の左右方向に複数設けられた第２ガイド部１２１２ｂと、を備える。
そして、外周壁部１２１１と内周壁部１２１２の間に容器本体上部１１の内縁部１１８が摺接することで収納空間Ｓの密閉性が維持されるようになっている。
【００４６】
（第１・第２ガイド部）
第１ガイド部１２１２ａは、例えば、容器本体下部１２の後面の左右両端部に、それぞれ左面又は右面に延長されて設けられ、外周壁部１２１１及び第２ガイド部１２１２ｂよりもＺ方向の高さが高い。
第２ガイド部１２１２ｂは、波状であり、容器本体下部１２の後面に左右方向に沿って複数設けられ、外周壁部１２１１よりもＺ方向の高さが高いが、第１ガイド部１２１２ａよりは低い。
【００４７】
（滑り止め部）
滑り止め部１２２は、容器本体下部１２の底部において、周囲を硬質材料に囲われた弾性材料によって形成され、例えば、図４に示すように、矩形の対向する頂点を結ぶような２本の直線が重心点で交わり、二直線のなす角のうち、Ｙ方向に伸びるように形成された二角に円弧を描いたような形状を有する。
また、上記２本の直線の４つの端部は円状になっており、図６に示すように、当該円状部のみ弾性材料が載置面に接するようになっており、載置部１２２１としての役割を果たす。
【００４８】
（係合突起）
係合突起１２３は、図４及び図５に示すように、容器本体下部１２の前面の上端部略中央部において、容器本体下部１２と一体的に、前方向に突出した突起部であり、収納空間Ｓの閉塞時において、二つの係止部１１９１が係合される。
係合突起１２３は、Ｙ方向の長さが、二つの係止部１１９１の間隔と、二つの係止部１１９１のそれぞれのＹ方向の長さの和よりも長くなるように形成される。
【００４９】
（開閉蓋）
開閉蓋２は、図１から図３に示すように、凹部１１２の後方に回動自在に接続された扁平な曲線状の略矩形の部材であり、閉塞状態における前側に開閉蓋側係止部２１を備え、下面側に開閉蓋側密閉環部２２と、付勢部材１１４を挿入する挿入部２３と、を備える。
また、開閉蓋２は、閉塞時の平面視における形状が容器本体上部１１の凹部１１２の平面視における形状のうち、ボタン部３が備えられた部分を除いた形状と略同一となるように形成されており、閉塞時において、凹部１１２に嵌め込むことができ、また天面部１１１と面一となるように形成されている。
【００５０】
（開閉蓋の材質）
開閉蓋２は、図１から図３に示すように、全体が、容器本体１０において用いられるのと同様の硬質材料によって形成されている。
【００５１】
（開閉蓋側係止部）
開閉蓋側係止部２１は、例えば、図２及び図３に示すように、開閉蓋２の前方に突出する爪状の部分である。そして、ボタン部３に形成されるボタン側係止部３３と係合することによって、開閉蓋２を閉塞状態で係止する。また、使用者がボタン部３を押圧した際には、開閉蓋側係止部２１とボタン側係止部３３との係合が外れ、付勢部材１１４によって生じる付勢力によって、開閉蓋２が開放状態となるように形成されている。
【００５２】
なお、開閉蓋側係止部２１の形状は、ボタン側係止部３３に係合することによって、開閉蓋２を閉塞状態で係止するとともに、使用者がボタン部３を押圧した際には、開閉蓋側係止部２１とボタン側係止部３３との係合が外れるものであれば任意であり、図２及び図３に示したような爪状には限られない。
【００５３】
（開閉蓋側密閉環部）
開閉蓋側密閉環部２２は、図２に示すように、開閉蓋２の閉塞時において下方へと環状に突出し、図７に示すように、その内周側の面が、容器本体上部１１に形成された取出部１１３の外周と接触するように、下面側略中央部に形成されている。
【００５４】
（挿入部）
挿入部２３は、図２に示すように、開閉蓋２の後端部に付勢部材１１４を挿入して固着するものである。
【００５５】
（ボタン部）
ボタン部３は、上面を形成する上面部３１と、上面部３１から下方へと突出するボタン側嵌合部３２と、開閉蓋側係止部２１を係合するボタン側係止部３３と、を有し、ボタン側係止部３３に開閉蓋側係止部２１を挿入することによって、開閉蓋２を閉塞状態で係止するとともに、使用者がボタン部３を押圧した際には、開閉蓋側係止部２１の係止が外れ、開閉蓋２が開放状態となるように形成されている。
ボタン部３は、容器本体１０において用いられているのと同様の硬質材料によって、別部材として独立して形成された後、ボタン取付部１１６によって固定されている。
なお、家庭用薄葉紙収納容器１は、上記のように開閉蓋２とボタン部３を除いて全体が射出成形（２色成形）により一体的に形成されていることが好ましい。
【００５６】
（上面部）
上面部３１は、図１、図７、図８に示すように、ボタン部３の上面を形成する部分であり、例えば、平面視において後方側が直線状、前方側が円弧状となり、先端部３１ａ付近を除いて凹部１１２の前端部付近の平面視における形状と略同一の形状となるように形成され、先端部３１ａが凹部１１２から前方に突出するように形成されている。
上面部３１の大きさは、凹部１１２のうち開閉蓋２によって覆われていない部分の大きさに応じて定まるが、Ｘ方向に最も長い部分で１０ｍｍから３０ｍｍ、Ｙ方向に最も長い部分で３０ｍｍから１００ｍｍの長さを有することが望ましい。
上面部３１の先端部３１ａと容器本体上部１１との間には隙間ｂが形成されており、先端部３１ａ及び基端部３１ｂは、容器本体上部１１の上面（水平）に対して異なる角度で下方に傾斜するように形成されている。
このとき、先端部３１ａの傾斜角度は、基端部３１ｂの傾斜角度よりも大きくなるように形成されている。具体的には、基端部３１ｂの傾斜角度が６〜８度、先端部３１ａの傾斜角度が８〜１０度であることが好ましい。
なお、ボタン部の基端部３１ｂは容器本体上部１１に対して平行で先端部３１ａのみが下方に傾斜していてもよいし、基端部３１ｂから先端部３１ａにかけて同じ角度で傾斜してもよい。
【００５７】
（ボタン側嵌合部）
ボタン側嵌合部３２は、例えば、底面視において前方側が曲線状、後方側が直線状となる環状に上面部３１から下方へと突出し、外周が、前述の本体側嵌合部１１６１の内周より僅かに小さく形成され、上方から本体側嵌合部１１６１に差し込むことで、ボタン部３をボタン取付部１１６に取り付けることができるように形成されている。
なお、内周が、前述の本体側嵌合部１１６１の外周と同一か僅かに大きく形成され、下方から本体側嵌合部１１６１を差し込むことで、ボタン部３をボタン取付部１１６に取り付けることができるように形成されていてもよい。
【００５８】
（ボタン側係止部）
ボタン側係止部３３は、ボタン部３の後方に形成される孔部であり、開閉蓋２に形成された開閉蓋側係止部２１が内部に挿入されて係合することによって、開閉蓋２を閉塞状態で係止するとともに、使用者がボタン部３を押圧した際には、開閉蓋側係止部２１の挿入が外れ、付勢部材１１４によって生じる付勢力によって、開閉蓋２が開放状態となるように形成されている。
【００５９】
なお、ボタン側係止部３３の形状は、開閉蓋２を閉塞状態で係止するとともに、使用者がボタン部３を押圧した際には、ボタン側係止部３３と、開閉蓋側係止部２１との係合が外れるものであれば任意であり、図示したような孔部には限られず、例えば、開閉蓋側係止部２１が係合する爪部であってもよい。
【００６０】
［実施形態の効果］
以下、本実施形態によって得られる主要な効果について説明する。
【００６１】
（容器の閉塞）
本実施形態によれば、家庭用薄葉紙収納容器１において、収納空間Ｓの閉塞時に容器本体上部１１の内縁部１１８を、容器本体下部１２の凹溝部１２１に嵌合させることにより、家庭用薄葉紙収納容器１に対してＸ方向及びＹ方向に圧力が加わった場合でも、収納空間Ｓが容易に露出してしまうことが無くなり、閉塞を保つことができ、密閉性も良い。
【００６２】
また、容器本体下部１２に備えられた第１ガイド部１２１２ａと第２ガイド部１２１２ｂにより、収納空間Ｓを閉塞する際に、容器本体上部１１の内縁部１１８が当たってそのまま、凹溝部１２１に案内されることとなり、より確実に収納空間Ｓを閉塞することができる。
特に、二つの第１ガイド部１２１２ａが第２ガイド部１２１２ｂよりもＺ方向の高さが高くなっているため、収納空間Ｓを閉塞する際に、容器本体上部１１が容器本体下部１２に対して多少ねじれてしまったとしても、より高い第１ガイド部１２１２ａでガイドされて軌道修正されるため、収納空間Ｓの閉塞の確実性をさらに高めることができる。
さらに、二つの第１ガイド部１２１２ａは、後面の左右両端部に、それぞれ左面又は右面に延長されて設けられていることにより、上記効果をさらに高めることができる。
また、第２ガイド部１２１２ｂが波状に設けられていることにより、第２ガイド部１２１２ｂが左右方向の全体に亘って設けられるものよりも接触抵抗を減らすことができ、よりスムーズに開閉動作をすることができる。
【００６３】
（全体構成）
また、容器本体１０が、容器本体上部１１と容器本体下部１２とによって構成され、これらが後面において接続部１３によって接続されていることから、家庭用薄葉紙収納容器１を載置面に載置したままで、容器本体上部１１を後端部を支点として回動させるようにして収納空間Ｓを露出し、家庭用薄葉紙Ｐを詰め替えることができる。
したがって、家庭用薄葉紙Ｐの詰め替えの際に、載置面に載置した状態のままで、詰め替え作業をより容易に行うことができる。
【００６４】
（ボタン部等）
家庭用薄葉紙収納容器１において、ボタン部３が設けられ、先端部３１ａの傾斜角度が基端部３１ｂの傾斜角度よりも大きくなるよう形成されていることから、ボタン部３と容器本体上部１１との隙間ｂに指を入れにくくなり、家庭用薄葉紙Ｐの詰め替えに際して、取手部１１９と誤ってボタン部３を把持し、回動しようとしてしまうのを防ぐことができる。
【００６５】
また、ボタン部３が、下方へと突出するボタン可動部１１６２によって囲われた本体側嵌合部１１６１に取り付けられている。これによって、開閉蓋２が閉塞された状態において、ボタン部３の上面部３１を使用者が上方から押圧した場合、押圧した位置を問わず、ボタン可動部１１６２が下方にひずむことによって、ボタン部３が下方へと沈むこととなる。
【００６６】
この際、ボタン部３のボタン側係止部３３に開閉蓋２の開閉蓋側係止部２１が挿入されていることから、ボタン部３が下方へ沈むと、これに応じて開閉蓋２も下方へと押し込まれることとなるが、開閉蓋２は、付勢部材１１４によって上方へと付勢されており、このような付勢力は、開閉蓋２が下方へ沈み込む程強くなる。
したがって、ボタン部３が一定程度押し込まれると、これに応じて開閉蓋２が沈み込み、開閉蓋２に対する上方への付勢力が強くなるが、開閉蓋２とボタン部３とは、開閉蓋側係止部２１及びボタン側係止部３３のみによって係合しているため、開閉蓋２への付勢力が強くなると、この係合が外れ、開閉蓋２が開放される。
【００６７】
したがって、本実施形態によれば、ボタン部３の上面のどの部分を押圧しても、開閉蓋２を開放させ易くなる。
【００６８】
また、容器本体上部１１が本体側嵌合部１１６１を有するボタン取付部１１６を有することで、ボタン部３を容易かつ安定的に固定することができる。
【００６９】
（取手部）
容器本体上部１１において、取手部１１９が設けられ、取手部１１９の内周側がＲ加工によって曲面に成形されることで、内周側が鋭角である場合に比べて、取手部１１９を外側に広げやすくなり、係止部１１９１と係合突起１２３との係合解除がし易くなって、容易に収納空間Ｓを露出することができるようになる。
また、取手部１１９は、容器本体上部１１と容器本体下部１２が係合した状態では、容器本体下部１２に設けられた係合突起１２３と前後方向に重なるようになっている。これにより、係合突起１２３が正面から見えない構造となっているため、見た目にも良い。
【００７０】
また、この取手部１１９に係止部１１９１が設けられているので、使用者は、容器本体上部１１の前面と取手部１１９との隙間ａに指を引っ掛けて容器本体上部１１と容器本体下部１２の係合を容易に解除して収納空間Ｓを露出することができるようになる。
特に、取手部１１９の内面の左右方向の中央部から左右に離れた位置に各々複数の係止部１１９１が設けられているので、取手部１１９の中央付近に指を入れた際、係止部１１９１が邪魔になることがなく、容器本体上部１１と容器本体下部１２の係合をより容易に解除して収納空間Ｓを露出することができるようになる。
また、係止部１１９１が取手部１１９の内面に二つ形成され、二つの係止部１１９１の間隔が指幅よりも広くなるように設けられていることによって、容器本体上部１１を回動させる際に指が二つの係止部１１９１の間に入りやすくなり、容器本体上部１１を回動させ易くなり、容易に収納空間Ｓを露出することができるようになる。
係合突起１２３の左右方向の長さは、二つの係止部１１９１の左右方向の長さと二つの係止部１１９１間の距離を足した長さよりも長く、一つの係合突起１２３に二つの係止部１１９１が係合されるため、係合突起１２３を各係止部１１９１に対して個別に設けるよりも強度が上がり、より安定して係止部１１９１を係合させることができる。
【００７１】
また、容器本体上部１１、容器本体下部１２及び接続部１３は、射出成形（２色成形）等の方法で、一体的に形成されていることから、家庭用薄葉紙収納容器１の製造効率の面でも優れる。
【００７２】
（取出孔）
取出孔１１３ａから引き出された次の家庭用薄葉紙Ｐは、その一端部が適正な長さを引き出された状態で取出孔１１３ａに保持されるので、取出孔１１３ａに保持されている家庭用薄葉紙Ｐが開閉蓋２を閉じる際の妨げになることがない。
また、取出孔１１３ａに保持されている家庭用薄葉紙Ｐを開閉蓋２で挟み込んでしまうことがないので、湿性の家庭用薄葉紙Ｐ（ウェットティッシュ等）が開閉蓋２に挟まれて容器本体１０の外側にはみ出し、乾燥してしまうようなトラブルが生じることがない。
【００７３】
取出孔１１３ａが設けられている家庭用薄葉紙収納容器１であれば、家庭用薄葉紙Ｐを好適に引き出して使用することができ、引き出して使用した家庭用薄葉紙Ｐに続いて引き出された次の家庭用薄葉紙Ｐの一端部を、開閉蓋２を閉蓋する妨げにならないように取出孔１１３ａにて保持することができる。
そして、適正な長さを引き出された家庭用薄葉紙Ｐが取出孔１１３ａに保持されるようになっていることで、収納空間Ｓに収納されている家庭用薄葉紙Ｐを引き出して使用することを好適に繰り返し行うことができる。
【００７４】
また、取出孔１１３ａの３本のスリットのうちＸ方向に延在するスリットの幅のみが他のスリットの幅に比べて広くなっていることによって、手前側を除いた二つの突片１１３ｃによって取出孔１１３ａに保持されている家庭用薄葉紙Ｐの一端部の支持箇所が分散するようになり、より安定して取出孔１１３ａで家庭用薄葉紙Ｐの一端部を支持することができるようになる。
また、手前側に延在する他の二つのスリットの幅が相対的に狭いことにより、家庭用薄葉紙Ｐを取り出す際に、一端部がスリットに入り込んでしまうのを防ぐことができるようになる。
【００７５】
（付勢部材）
また、本実施形態に係る家庭用薄葉紙収納容器１によれば、容器本体上部１１に弾性材料によって付勢部材１１４を設けるのみで、開閉蓋２を開放方向へと付勢することができる。
これに対して、例えば上方へと立設するバネ状の付勢部材を備え、これが開閉蓋２に接続される構成とした場合、開閉蓋２の開閉の度にこれが折れたり伸びたりを繰り返すことから、このようなバネ状の部分が劣化し易く、開閉蓋２への付勢力が早期に弱まり易い。そして、開閉蓋２への付勢力が一定程度弱まってしまうと、これをワンタッチで解放させることができなくなってしまう。
本実施形態によれば、弾性材料によって形成された付勢部材１１４が開閉蓋２によって押されることによって、開閉蓋２に対する付勢力を生じさせる構造であるため、弾性材料で形成された部分の変形量が小さく、これが劣化し難いことから、開閉蓋２への付勢力が弱まりにくい。
【００７６】
また、凹部１１２に収納凹部１１５が設けられていることによって、付勢部材１１４の凹部１１２との接触部にかかる圧力が大きくなり過ぎることを防止でき、付勢部材１１４が破損するおそれを低減できる。
【００７７】
また、付勢部材１１４が、開閉蓋２の回動の支点に近い、容器本体１０の後方側に形成されていることによって、開閉蓋２に対する付勢力が強まり、これを開放状態とし易くなる。
【００７８】
（その他の構成）
また容器本体下部１２の上面に滑り止め部１２２が備えられていることにより、取出孔１１３ａから家庭用薄葉紙Ｐを取り出した際に収納空間Ｓ内の家庭用薄葉紙Ｐが動き、崩れにくくなることで、安定して家庭用薄葉紙Ｐを取り出すことができる。
【００７９】
また、滑り止め部１２２を形成する一部が載置面に接し、載置部１２２１としての役割を果たすことで、家庭用薄葉紙収納容器１を載置面に載置した際の安定性を高めることができる。
【００８０】
また、開閉蓋２の閉塞時において、開閉蓋側密閉環部２２が取出部１１３の外周と接触していることで、収納空間Ｓの気密性を向上させることができる。
【００８１】
［変形例］
以下、上記実施形態の変形例につき説明する。
【００８２】
（取手部）
取手部１１９は、容器本体上部１１の他の部分と一体成形されていてもよいし、別体で構成して後で取り付けるようにしてもよい。
（係合突起）
係合突起１２３は、必ずしも一つではなく、二つの係止部１１９１それぞれに対して二つ設けてもよい。
（ガイド部）
ガイド部は、第１ガイド部１２１２ａのみの構成でもよいし、第２ガイド部１２１２ｂのみの構成でもよい。
第１ガイド部１２１２ａは、必ずしも、左面又は右面に延長されて設けられていなくてもよい。
第２ガイド部１２１２ｂは、波状でなくても左右方向に亘って同一の高さに設けられていてもよい。
（ボタン部）
ボタン部３は、ボタン可動部１１６２によって上下動可能に容器本体上部１１に備えられていればよく、必ずしもボタン取付部１１６によって取り付けられることを要しない。例えば、弾性材料をボタン可動部１１６２Ａとし、ボタン部３の下側の全面に亘って設けた上で、ボタン部３を接着等の方法で直接ボタン可動部１１６２Ａ上に取り付けてもよい。
【００８３】
（接続部）
上記においては接続部１３が、家庭用薄葉紙収納容器１の左右方向中央部付近の一ヶ所にのみ形成された場合につき説明したが、接続部１３の構成はこれに限られない。
例えば、家庭用薄葉紙収納容器１Ａの左右に形成された接続部１３Ａ、１３Ａのようにしてもよい。この場合、収納空間ＳＡを露出した際に、接続部１３Ａがねじれ難くなり、その安定性を高めると共に、これを再び閉塞する作業が行い易くなる。
また、家庭用薄葉紙収納容器１Ｂ後面側の全面を覆う接続部１３Ｂを用いてもよい。この場合、収納空間Ｓが閉塞された状態において、家庭用薄葉紙収納容器１Ｂの容器本体上部１１と容器本体下部１２との接触部の後面側の全体が覆われることから、収納空間Ｓの気密性を一層高めることができる。
【００８４】
その他、家庭用薄葉紙収納容器１の細部の構成は、本発明の要旨を逸脱しない範囲で、適宜変更可能である。
【符号の説明】
【００８５】
１  家庭用薄葉紙収納容器
１０  容器本体
１１  容器本体上部
１１１  天面部
１１２  凹部
１１３  取出部
１１３ａ  取出孔
１１３ｂ  膨出部分
１１３ｃ  突片
１１４  付勢部材
１１５  収納凹部
１１６  ボタン取付部
１１６１  本体側嵌合部
１１６２  ボタン可動部
１１７  外縁部
１１８  内縁部
１１９  取手部
１１９１  係止部
１２  容器本体下部
１２１  凹溝部
１２１１  外周壁部
１２１２  内周壁部
１２１２ａ  第１ガイド部
１２１２ｂ  第２ガイド部
１２２  滑り止め部
１２２１  載置部
１２３  係合突起
１３  接続部
２  開閉蓋
２１  開閉蓋側係止部
２２  開閉蓋側密閉環部
２３  挿入部
３  ボタン部
３１  上面部
３１ａ  先端部
３１ｂ  基端部
３２  ボタン側嵌合部
３３  ボタン側係止部
ａ、ｂ  隙間
Ｐ  家庭用薄葉紙
Ｓ  収納空間
【図１】
2020196517.tif 000003
【図２】
2020196517.tif 000004
【図３】
2020196517.tif 000005
【図４】
2020196517.tif 000006
【図５】
2020196517.tif 000007
【図６】
2020196517.tif 000008
【図７】
2020196517.tif 000009
【図８】
2020196517.tif 000010